(57)【特許請求の範囲】
【請求項１】
操作部と、振動検出部と、表示部とを備えた表示速度切替機能付き携帯電話機であって、
前記振動検出部からの振動信号を入力し、前記振動信号にもとづいて、前記表示部の表示速度切替を制御する制御部を具備し、
前記携帯電話機の使用中に前記振動検出部が振動信号を検出すると、前記振動信号を入力した前記制御部が、画面リフレッシュ速度を、前記振動信号を入力していないときの前記画面リフレッシュ速度より高速に切り替え、及び／又は、画面リフレッシュの時間間隔を、前記振動信号を入力していないときの前記画面リフレッシュの時間間隔より短く切り替えることを特徴とする表示速度切替機能付き携帯電話機。
【請求項２】
使用中に前記振動信号を入力した前記制御部が、前記振動信号を入力しなくなると、前記画面リフレッシュ速度及び／又は前記画面リフレッシュの時間間隔を、前記振動信号を入力していないときの前記画面リフレッシュ速度及び／又は前記振動信号を入力していないときの前記画面リフレッシュの時間間隔に戻すことを特徴とする請求項１に記載の表示速度切替機能付き携帯電話機。
【請求項３】
前記入力した振動信号が大きいほど、前記画面リフレッシュ速度を、前記振動信号を入力していないときの前記画面リフレッシュ速度よりさらに高速に切り替え、及び／又は、前記画面リフレッシュの時間間隔を、前記振動信号を入力していないときの前記画面リフレッシュの時間間隔よりさらに短く切り替えることを特徴とする請求項１又は２に記載の表示速度切替機能付き携帯電話機。
【請求項４】
画像の切替を行う切替キーを備え、前記切替キーが押下されると、表示中の動画像，コマ送り画像又は静止画像を順次切り替えて表示することを特徴とする請求項１〜３のいずれか一項に記載の表示速度切替機能付き携帯電話機。
【発明の詳細な説明】
【０００１】
【発明の属する技術分野】
本発明は、表示速度切替機能付き携帯電話機に関し、特に、使用者の要望や携帯電話機が使用される状況に応じて、画像品質を容易な操作で調整可能な携帯電話機に関する。
【０００２】
【従来の技術】
従来の携帯電話機は、ＬＣＤなどの画像表示装置が設けられており、文字や図形の静止画像はもちろん、デジタルカメラなどにより撮像された静止画像やコマ送り画像をも表示することができた。
また、上記携帯電話機のなかには、画像表示の操作性を向上させるために、内蔵された振動センサが振動を検出すると、表示文字をスクロールさせたり、表示部を点灯させたりする携帯電話機もあった。
【０００３】
たとえば、特開平１１−３０５７４８号公報においては、横方向の振動検出装置と縦方向の振動検出装置とを備え、振動方向に応じて表示文字をスクロールする携帯電話機が提案されている。
この携帯電話機は、使用者が携帯電話機を振ると、表示している画面を振動方向に応じた方向にスクロールさせるので、文字を読む際、表示画面の操作性を向上させることができる。
【０００４】
また、特開２００１−２５１４１９号公報においては、ユーザの任意の選択により、使用頻度の高い動作を振動センサにおける振動検知に関連付けることにより、ユーザの使用形態に沿いながら操作性の向上を図ることができる、振動センサ付き移動通信端末及びそのプログラムを記録した記録媒体の技術が開示されている。
【０００５】
この技術によれば、例えば、表示部の点灯を振動センサの振動の検知に関連付けると、移動通信端末に振動を与えるだけで、表示部を点灯させることができ、ユーザが暗闇にいる場合であっても、押下するキーを手探り状態で探さなければならない等の操作性の悪さを改善することができる。
【０００６】
ところで、近年の携帯電話機は、各メーカが積極的に技術開発を行っていることにより、様々な技術が開発され実用化されている。
たとえば、画像表示の技術に関しては、動画像を表示する技術や、コマ送り速度の高速化技術などが実用化されている。
また、画面リフレッシュ速度又は表示書替え速度を、高速化することにより画像品質を改善する技術も実用化されている。
【０００７】
なお、携帯電話機は、上記のように高機能化が要求されるているのに対し、一方では消費電流を低減することにより、充電サイクルを延ばし結果的に小型，軽量化することが要求されている。
このため、携帯電話機は、動画像の表示においては書替えサイクルを遅くしたり、コマ送り画像の表示においてはコマ送り速度を遅くしたり、文字や図形などの静止画像の表示においては画面リフレッシュ速度を遅くしたり画面リフレッシュの時間間隔を長くしたりする必要がある。
つまり、携帯電話機は、画像品質を確保しながら、消費電流を極力低減することが要求されている。
【００１３】
【発明が解決しようとする課題】
しかしながら、携帯電話機は、静止状態、歩行状態、電車や車などでの移動状態といった利用状況がまちまちであり、手振れや外部からの強制的な振動によって、画像品質が低下してしまうこと（振動によって見づらくなること）があった。
また、従来の携帯電話機は、消費電流が大きくなってもよいから、画像品質の優れた画像を表示させたり、画像品質が低下してもよいから、消費電流を小さくしたいといった、使用者の要望に対応することができないといった問題があった。
さらに、上記画像品質の調整を行う際、簡単な操作で画像品質を調整できることが要求されている。
【００１４】
本発明は、上記問題を解決すべくなされたものであり、使用者の要望や携帯電話機が使用される状況に応じて、画像品質を容易な操作で調整可能な携帯電話機の提供を目的とする。
【００１５】
【課題を解決するための手段】
上記目的を達成するために、本発明の表示速度切替機能付き携帯電話機は、操作部と、振動検出部と、表示部とを備えた表示速度切替機能付き携帯電話機であって、前記振動検出部からの振動信号を入力し、前記振動信号にもとづいて、前記表示部の表示速度切替を制御する制御部を具備し、前記携帯電話機の使用中に前記振動検出部が振動信号を検出すると、前記振動信号を入力した前記制御部が、画面リフレッシュ速度を、前記振動信号を入力していないときの前記画面リフレッシュ速度より高速に切り替え、及び／又は、画面リフレッシュの時間間隔を、前記振動信号を入力していないときの前記画面リフレッシュの時間間隔より短く切り替える構成としてある。
このようにすることにより、携帯電話機が振動を受けると、自動的に画像品質を向上させることができる。
【００１６】
また、本発明の表示速度切替機能付き携帯電話機は、使用中に前記振動信号を入力した前記制御部が、前記振動信号を入力しなくなると、前記画面リフレッシュ速度及び／又は前記画面リフレッシュの時間間隔を、前記振動信号を入力していないときの前記画面リフレッシュ速度及び／又は前記振動信号を入力していないときの前記画面リフレッシュの時間間隔に戻す構成としてある。
このようにすると、携帯電話機が振動を受けなくなると、自動的に表示速度を元に戻すので、消費電流を効果的に低減することができる。
【００１７】
また、本発明の表示速度切替機能付き携帯電話機は、前記入力した振動信号が大きいほど、前記画面リフレッシュ速度を、前記振動信号を入力していないときの前記画面リフレッシュ速度よりさらに高速に切り替え、及び／又は、前記画面リフレッシュの時間間隔を、前記振動信号を入力していないときの前記画面リフレッシュの時間間隔よりさらに短く切り替える構成としてある。
このようにすると、携帯電話機が受ける振動の大きさに応じて必要な分だけ、画像品質を向上させることができる。
【００１８】
また、本発明の表示速度切替機能付き携帯電話機は、画像の切替を行う切替キーを備え、前記切替キーが押下されると、表示中の動画像，コマ送り画像又は静止画像を順次切り替えて表示する構成としてある。
このように、表示画像の変更により、画像品質と消費電流を調整することができる。
【００２１】
【発明の実施の形態】
次に、本発明にかかる表示速度切替機能付き携帯電話機（適宜、携帯電話機と略称する。）の好適な実施形態について、図面を参照して説明する。
【００２２】
図１は、本発明の実施形態にかかる表示速度切替機能付き携帯電話機の要部の構成を説明するための概略ブロック図を示している。
同図において、携帯電話機１は、アンテナ１１と、電波信号の送受信を行う無線回路部１２と、プログラムにより動作制御を行う制御回路部２と、操作キーなどが配設された操作部１３と、画像情報を出力する表示部１４と、音声情報を出力するスピーカおよび音声情報を入力するマイクとからなる送受話器１５と、音声情報を信号化処理する信号処理部１６と、振動を検出し振動信号を出力する振動検出部１７と、電話番号などを記憶する記憶回路部１８と、で構成してある。
【００２３】
振動検出部１７は、小型・軽量の加速度計などが用いられ、使用者が歩きながら携帯電話機１を使用するときに受ける振動（振動加速度）や、使用者が自動車などの振動体に乗っているときに受ける振動を検出し、振動信号として制御回路部２に出力する。
この振動検出部１７は、通常、携帯電話機１内に設けられる。
【００２４】
なお、加速度計は、通常、一方向の振動を検出する構造となっている。
このため、振動検出部１７として加速度計を用いるときは、Ｘ軸，Ｙ軸，Ｚ軸の各方向の振動を検出するように、三つの加速度計を配設してある。
このようにすると、携帯電話機１は、上記三軸方向の振動を合成することにより、振動の大きさを精度良く検出することができる。
【００２５】
また、携帯電話機装置１は、通常、加速度計を三個設ける構成としてあるが、この構成に限定するものではなく、二個又は一個の加速度計を設ける構成としてもよい。
このようにすることにより、携帯電話機１の構成部品が削減され、構造を単純化することができるので、小型，軽量化を図ることができる。
【００２６】
表示部１４は、通常、液晶ディスプレイが用いられる。
この表示部１４は、制御回路部２から画像信号を入力して、画像信号にもとづいて画像を表示する。
また、この表示部１４の表示リフレッシュ速度、表示リフレッシュの時間間隔，表示書替え速度などは、制御回路部２から出力される画像信号により決定される。
【００２７】
なお、画像は、文字や図形の画像に限定されるものではなく、デジタルカメラなどにより撮像された画像であってもよい。
また、静止画像に限定されるものではなく、動画像やコマ送り画像であってもよい。
【００２８】
操作部１３には、携帯電話機１を操作するための操作キーが配設されており、図示してないが、表示部１４の動画像，コマ送り画像又は静止画像からそれと異なる画像への切替を行う第一切替キーと、コマ送り速度の切替を行う第二切替キーと、画面リフレッシュ速度の切替を行う第三切替キーと、画面リフレッシュの時間間隔の切替を行う第四切替キーが配設してある。
【００２９】
この操作部１３は、上記各切替キーが押下されると、各切替キーに応じた表示速度切替を行う制御信号を制御回路部２に出力する。
【００３０】
制御回路部２は、たとえば、第一切替キーが押下されると、動画像が表示されているときは、この動画像をコマ送り画像に切り替え、コマ送り画像が表示されているときは、このコマ送り画像を静止画像に切り替え、さらに、静止画像が表示されているときは、この静止画像を動画像に切り替える。
したがって、動画像が表示されているときに、静止画像に切り替えたいときは、第一切替キーを二回押下すると、動画像を静止画像に切り替えることができる。また、動画像が表示されない状況においては、たとえば、静止画像が表示されているときに、第一切替キーが二回押下されると、コマ送り画像に切り替えることができる。
【００３１】
また、制御回路部２は、たとえば、第二切替キーが一回押下されると、表示されているコマ送り画像のコマ送り速度を遅くし、第二切替キーが二回連続して押下されると、コマ送り速度を速くする。
【００３２】
また、制御回路部２は、第三切替キーが一回押下されると、表示されている画像の画面リフレッシュ速度を遅くし、第三切替キーが二回連続して押下されると、画面リフレッシュ速度を速くする。
【００３３】
さらにまた、制御回路部２は、第四切替キーが一回押下されると、表示されている画像の画面リフレッシュの時間間隔を長くし、第四切替キーが二回連続して押下されると、画面リフレッシュの時間間隔を短くする。
【００３４】
このように、制御回路部２は、操作部１３の上記各切替キーから各操作信号を入力すると、上述したように表示を切り替える画像信号を表示部１４に出力して表示切替を行う。
【００３５】
なお、各切替キーは、上記構成の切替キーに限定されるものではない。
また、各切替キーを別個に設ける構成としてあるが、この構成に限定されるものでもなく、たとえば、一つの操作キーで四つの表示速度切替操作信号を出力可能な操作キーとしてもよい。
【００３６】
ここで、好ましくは、表示部１４の表示速度切替を行った制御回路部２が、所定時間が経過すると、表示部１４の表示速度を切替前の状態に戻す構成とするとよく、このようにすることにより、一時的に表示速度を切り替えた場合に、自動的に表示速度をもとに戻すことができ、操作性を向上させることができる。
【００３７】
また、携帯電話機１は、使用者が携帯電話機１を使用しているとき、振動検出部１７が振動を検出すると、振動信号を入力した制御回路部２が、表示部１４の画面リフレッシュ速度を高速に切り替え、及び／又は、画面リフレッシュの時間間隔を短く切り替える構成としてある。
このようにすることにより、携帯電話機が振動を受けると、自動的に画像品質を向上させることができる。
【００３８】
また、制御回路部２は、入力した振動信号が大きいほど、画面リフレッシュ速度をより高速に切り替え、及び／又は、画面リフレッシュの時間間隔をより短く切り替える構成とするとよい。
このようにすると、携帯電話機が受ける振動の大きさに応じて必要な分だけ、画像品質を向上させることができる。
これにより、たとえば、使用者が静止，歩行，又は，電車や車などで移動している場合であっても、携帯電話機１が受ける振動状態に応じて、必要な分だけ画像品質を向上させることができる。
【００３９】
また、携帯電話機１は、使用中に制御回路部２が、振動信号を入力しなくなると、画面リフレッシュ速度及び／又は画面リフレッシュの時間間隔を元に戻す構成としてある。
このようにすることにより、携帯電話機１が振動を受けなくなると、自動的に表示速度を元に戻すので、消費電流を効果的に低減することができる。
【００４０】
以上説明したように、本実施形態の携帯電話機１によれば、使用者が、各切替キーを操作することにより、表示画像の変更や画面リフレッシュなどを行うことができる。
これにより、使用者が、画像品質を優先させたいときは、画像品質を向上させることができ、また、消費電流の低減を優先させたいときは、表示画像を変更することにより、消費電流を低減することができる。
【００４１】
また、携帯電話機１は、使用中に制御回路部２が振動検出部１７からの振動信号を入力すると、振動信号の大きさに応じて、画像品質を向上させることにより、振動による悪影響を受けない画像を自動的に表示することができる。
【００４２】
次に、本実施形態に係る携帯電話機の使用例について、図２を参照して説明する。
本使用例の携帯電話機１は、消費電流低減のため表示リフレッシュ速度を低く抑える構成としてあり、通常は静止画像を表示する。
つまり、静止画像は、動画像やコマ送り画像より表示書替え速度が遅いため消費電流を低減することができる。
【００４３】
また、この携帯電話機１は、通常の使用状況において、一定の画像品質を確保しているものの、消費電流を低減するため、必要以上の画像品質で表示を行うことはない。
つまり、表示部１４は、ｎラインの液晶ディスプレイ（適宜、ＬＣＤと略称する。）であり、このときの画面リフレッシュ時間ｔは、図２に示すように、
ｔ＝  ｎΔｔ（Ｎｏｒｍ）＋（ｎ−１）δ（Ｎｏｒｍ）
となる。
ここで、  Δｔ（Ｎｏｒｍ）：通常ライン描画時間
δ（Ｎｏｒｍ）：通常帰線時間
【００４４】
携帯電話機１は、使用中に振動検出部１７が振動を検出すると、振動信号を制御回路部２に出力し、振動信号を入力した制御回路部２は、ライン描画時間及び帰線時間を短く切り替えた画像信号を表示部１４に出力する。
つまり、このときの画面リフレッシュ時間Ｔは、同図に示すように、
Ｔ＝  ｎΔｔ（Ｈｉｇｈ）＋（ｎ−１）δ（Ｈｉｇｈ）
となる。
ここで、  Δｔ（Ｈｉｇｈ）：高速ライン描画時間
δ（Ｈｉｇｈ）：高速帰線時間
【００４５】
また、本使用例の携帯電話機１は、振動信号の大きさを判断し、振動信号が所定の閾値より大きいとき、振動信号の大きさに応じて、
Δｔ（Ｈｉｇｈ）  ＜  Δｔ（Ｎｏｒｍ）
δ（Ｈｉｇｈ）＜＜δ（Ｎｏｒｍ）  とし、
Ｔ  ＜＜  ｔ
となるように、Δｔ（Ｈｉｇｈ）とδ（Ｈｉｇｈ）を設定する。
このようにすることにより、携帯電話機１は、大きな振動を受けたときは、画面リフレッシュ時間が大幅に短縮され画像品質が大幅に向上する。
【００４６】
また、携帯電話機１は、振動信号の大きさを判断し、振動信号が所定の閾値より小さいとき、振動信号の大きさに応じて、
Δｔ（Ｈｉｇｈ）  ＝  Δｔ（Ｎｏｒｍ）
δ（Ｈｉｇｈ）＜＜δ（Ｎｏｒｍ）  とし、
Ｔ  ＜  ｔ
となるように、Δｔ（Ｈｉｇｈ）とδ（Ｈｉｇｈ）を設定する。
このようにすることにより、携帯電話機１は、小さな振動を受けたときは、振動の大きさに応じて、画面リフレッシュ時間が短縮され画像品質が向上する。
【００４７】
また、携帯電話機１は、第一切替キーが押下され、動画像からコマ送り画像に切り替わったり、コマ送り画像が静止画像に切り替わったりするとき，第二切替キーが一回押下され、コマ送り画像のコマ送り速度が低下するとき，又は，第四切替キーが一回押下され、表示されている画像の画面リフレッシュの時間間隔が長くなるとき、
ｔｒｅｐ（Ｎｏｒｍ）  ＜＜  ｔｒｅｐ（Ｌｏｗ）
ここで、ｔｒｅｐ（Ｎｏｒｍ）  ：通常画面リフレッシュ時間間隔
ｔｒｅｐ（Ｌｏｗ）  ：低速画面リフレッシュ時間間隔
としてある。
このようにすることにより、表示書換え回数や単位時間当たりの画面リフレッシュ回数が少なくなるため、その分消費電流を低減することができる。
【００４８】
一方、携帯電話機１は、第一切替キーが押下され、静止画像から動画像に切り替わったりするとき，第二切替キーが二回連続して押下され、コマ送り画像のコマ送り速度が速くなるとき，又は，第四切替キーが二回連続して押下され、表示されている画像の画面リフレッシュの時間間隔が短くなるとき、
ｔｒｅｐ（Ｈｉｇｈ）  ＜＜  ｔｒｅｐ（Ｎｏｒｍ）
ここで、ｔｒｅｐ（Ｎｏｒｍ）  ：通常画面リフレッシュ時間間隔
ｔｒｅｐ（Ｈｉｇｈ）  ：高速画面リフレッシュ時間間隔
としてある。
このようにすることにより、表示書換え回数や単位時間当たりの画面リフレッシュ回数が多くなるため、その分消費電流が増加するが、連続した画像を見ることができる。
【００４９】
【発明の効果】
以上説明したように、本発明にかかる振動検出機能付き携帯電話機装置によれば、使用者が、画像品質を優先させたいときは、画像品質を向上させることができ、また、消費電流の低減を優先させたいときは、表示画像を変更することにより、消費電流を低減することができる。
また、本発明にかかる振動検出機能付き携帯電話機装置によれば、表示中の動画像，コマ送り画像又は静止画像を異なる画像で表示する画像切替と、コマ送り画像のコマ送り速度の切替と、画面リフレッシュ速度の切替と、画面リフレッシュの時間間隔の切替のうち少なくとも一つを行うことができる。
【００５０】
また、本発明にかかる表示速度切替機能付き携帯電話機によれば、使用中に振動を受けると、その振動に応じて自動的に画面リフレッシュ速度を高速に切り替え、及び／又は、画面リフレッシュの時間間隔を短く切り替えることができるので、自動的に画像品質を向上させることができる。
【図面の簡単な説明】
【図１】  図１は、本発明の実施形態にかかる表示速度切替機能付き携帯電話機の要部の構成を説明するための概略ブロック図を示している。
【図２】  図２は、本発明の使用例にかかる表示速度切替機能付き携帯電話機の、表示リフレッシュを説明するための概略図を示している。
【符号の説明】
１  携帯電話機
２  制御回路部
１１  アンテナ
１２  無線回路部
１３  操作部
１４  表示部
１５  送受話器
１６  信号処理部
１７  振動検出部
１８  記憶回路部
【図１】
0003922081.tif 000002
【図２】
0003922081.tif 000003